(57)【要約】【課題】財布の構造を複雑化することなく、異なった種類の紙幣を間違いなく確実に区別して財布に収納し、かつ取出すことができるようにする。あるいは、予算費目ごとに紙幣を区別して収納し、かつ取出すことができるようにする。【解決手段】薄い可撓性のシートからなる長方形で、長辺の一辺が開口部となっている袋状であって、複数の紙幣を収納した状態で財布に挿入又は取出しが自在であるよう構成されている札入れ袋である。開口部の周縁は滑らかなテープで補強されており、開口部以外の側縁部は補強テープで補強されているとともに、長方形の表面には必要に応じ、色彩又は模様等が施されている。【選択図】図１
0003111023.tif 000002
【実用新案登録請求の範囲】
【請求項１】
薄い可撓性のあるシートからなり、長辺の一辺が紙幣を出し入れする開口部となっている長方形状の扁平な袋であって、複数の紙幣を収納した状態で財布の札入れ部に挿入又は札入れ部から取出しが自在な構成とされていることを特徴とする札入れ袋。
【請求項２】
開口部の周縁は、表面が滑らかなテープで縁取りされていることを特徴とする請求項１記載の札入れ袋。
【請求項３】
開口部以外の側縁部は、補強テープで補強されていることを特徴とする請求項１又は２記載の札入れ袋。
【請求項４】
長方形状の袋の表面は、紙幣の種類ごとに、あるいは予算の費目ごとに異なった色彩及び／又は模様が施されていることを特徴とする請求項１乃至３のいずれか１項記載の札入れ袋。
【請求項５】
請求項１乃至請求項４記載の札入れ袋を札入れ部に取出し自在に挿入してなることを特徴とする財布。
【考案の詳細な説明】
【技術分野】
【０００１】
本考案は、紙幣の種類ごとに、あるいは予算費目ごとに区別して別々の袋に紙幣を収納したものを財布の札入れ部に挿入し、又は札入れ部から取出すことができるようにした札入れ袋とそれを用いた財布に関する。
【背景技術】
【０００２】
異なった種類の紙幣を同時に１つの財布に収納していると、紙幣を取出すとき、必要な種類の紙幣を必要なだけ取出すのに手間がかかったり、間違ったりしやすい。そこで紙幣の取り扱いを間違いなく、正確でしかも迅速に行えるようにするためには、異なった種類の紙幣を区別して財布に収納することが望ましい。
その手段として財布の札入れ部に仕切りを設け、紙幣の種類ごとに別々の仕切りに収納する方法が行われている。
【０００３】
財布の札入れ部に仕切りを設ける目的として、紙幣の予算の費目ごとに区別して財布に収納すると便利な場合がある。
例えば、旅行の際、交通費，宿泊費，食事代，土産代等それぞれ区別して財布に収納しておけば安心して旅行を楽しむことができる。
【０００４】
ところで、特許文献１では、財布のなかに札入れと想像される形のお金収納部８個を有し、特許文献２では、札入れに相当する扁平なポケット部を４箇所設けている。しかし、このような財布は構造が複雑になりすぎてかえって取扱いが不便となるおそれがある。
【０００５】
【特許文献１】特開平１１−９９０１０
【特許文献２】特願２００２−９５５１１
【考案の開示】
【考案が解決しようとする課題】
【０００６】
１つの財布に、１万円，５千円，２千円，千円と異なった種類の紙幣を同時に収納していても、取出す際、誤まることなく正確にしかも迅速に必要な種類の紙幣を必要な数だけ取出せるようにし、しかも財布の構造を複雑化することなく、簡便にこの目的を達成することが本願の解決しようとする課題である。
あるいは、予算の費目ごとに紙幣を区別して財布に収納しようとする場合も同様の課題がある。
【課題を解決するための手段】
【０００７】
（１）本考案の第１は、薄い可撓性のあるシートからなり、長辺の一辺が紙幣を出し入れする開口部となっている長方形状の扁平な袋であって、複数の紙幣を収納した状態で財布の札入れ部に挿入又は札入れ部から取出しが自在な構成とされていることを特徴とする札入れ袋である。
【０００８】
薄い可撓性のあるシートとして通常は紙を用いるが、不織布などの布あるいはプラスチックシートであってもよい。
【０００９】
（２）本考案の第２は、開口部の周縁は、表面が滑らかなテープで縁取りされていることを特徴とする前項（１）記載の札入れ袋である。
【００１０】
開口部に滑らかなテープで縁取りすることで、紙幣の収納、取出しがスムーズで容易にできるようにするとともに、薄いシートからなる札入れ袋を補強し、耐久性を付与することができる。通常、滑らかなテープとしてはビニールテープが用いられる。
【００１１】
（３）本考案の第３は、開口部以外の側縁部は、補強テープで補強されていることを特徴とする前項（１）又は（２）記載の札入れ袋である。
【００１２】
札入れ袋を財布から出し入れする際に、札入れ袋の側縁部が財布の内側や札入れ部とすれてしまうので、繰り返し使用している間に札入れ袋が破損しないようにするためである。補強テープとしては例えばガムテープ、布テープなどを用いることができる。
【００１３】
（４）本考案の第４は、長方形の袋の表面は、紙幣の種類ごとに、あるいは予算の費目ごとに異なった色彩及び／又は模様が施されていることを特徴とする前項（１）乃至（３）のいずれか１項記載の札入れ袋である。
【００１４】
紙幣の種類ごとに別々の札入れ袋に収納していると紙幣の種別の判断が容易にでき、必要な種類の紙幣を迅速かつ確実に取出せる。あるいは予算の費目ごとに別々の札入れ袋に紙幣を収納していると確実に予算の範囲内で安心して紙幣を使用することができる。
【００１５】
（５）本考案の第５は、前項（１）乃至（４）記載の札入れ袋を札入れ部に取出し自在に挿入してなることを特徴とする財布である。
【００１６】
複数の札入れ袋にそれぞれ異なった種類の紙幣を収納した状態で取出し自在に挿入することで必要な種類の紙幣を必要なだけ確実に取出すことができる。
また、予算の費目ごとに異なった札入れ袋に収納していると、それぞれの費目の出費が明確に把握することができる。
【考案の効果】
【００１７】
例えば、１万円札は黄色の札入れ袋、５千円札は赤色の札入れ袋、２千円札は青色の札入れ袋、千円札は白色の札入れ袋のように、異なった種類の札は異なった札入れ袋に分けて収納していると、必要とする種類の紙幣を札入れ袋を目視で判断するだけで必要とする数だけ容易かつ迅速に取出すことができる。特に５千円札と２千円札、あるいは１万円札と５千円札は大きさ、模様が似ているので間違いやすく、間違いを防ぐことができる。
【００１８】
また、予算費目ごとに区別して紙幣を別々に札入れ袋に収納していると予算の範囲内で安心して支払いを済ますことができる。
【考案を実施するための最良の形態】
【００１９】
本考案を実施するための最良の形態を図に基づいて説明する。
図１は、本考案の札入れ袋である。図中、１、１は１枚の薄い可撓性のあるシートを真中の折り曲げ線６で折り曲げて互いに重ね合わせられる長方形状の表面部を示している。各表面部１、１の長辺の一辺２、２は、折り曲げ線６で折り曲げられた状態で開口部７を形成する。この開口部７の周縁は全周にわたり滑らかな補強テープ３で縁取られている。一方の表面部１の両短辺には糊代５が形成されている。そして、各糊代５に糊付けして、各表面部１、１を折り曲げた状態で、他方の表面部１の相対する短辺側に各糊代５を接着することで両短辺を閉じ、袋状に形成する。あとは、開口部７を除く残りの３つの側縁部を補強テープ４で補強して、図２に示す札入れ袋を得る。
【００２０】
上記の実施形態では、１枚のシートを折り曲げて札入れ袋を作るようにしたが、同じ大きさの長方形状の２枚のシートを用意し、２枚のシートを互いに重ね合わせて、一つの長辺どうしと両短辺どうしのそれぞれを糊代で互いに接着する等して閉じ、残る長辺の一つを開口部として袋状にしてもよい。
【００２１】
図２は、組立てが完了した札入れ袋の正面図である。表面１の部分には必要に応じて適当な色彩に着色するか、模様等をつけることができる。
色彩，模様等は、紙幣の種別を表示するとか、予算の費目を表示するとかの目的のほか、プリクラ等の写真を印刷又は貼付するとか、観光地の風景を表示するなどの方法も含まれる。
【００２２】
図３は、二つ折り財布Ａに本考案の札入れ袋Ｂを挿入した状態を示す斜視図である。財布は、二つ折り財布以外に三つ折りあるいは長財布でも同様に本考案の札入れ袋を挿入することができる。
【図面の簡単な説明】
【００２３】
【図１】札入れ袋の展開図である。
【図２】札入れ袋の正面図である。
【図３】札入れ袋を財布に挿入したときの斜視図である。
【符号の説明】
【００２４】
１  表面
２  開口部
３  滑らかなテープ
４  補強テープ
５  糊代
６  折り曲げ線
７  開口部
Ａ  財布
Ｂ  札入れ袋
【図１】
0003111023.tif 000003
【図２】
0003111023.tif 000004
【図３】
0003111023.tif 000005